(57)【要約】【課題】一般家庭で使用される肩掛け可能な清掃装置において、使用者の姿勢変化に応じた清掃装置の動きを制限して使用感の向上を図った清掃装置を提供すること。【解決手段】本体２と、この本体２を携帯するために肩に掛けられる肩ベルト５とを有し、前記本体２が、互いに離間して設けられた第一取付部３と第二取付部４とを有し、これらの取付部３，４に前記肩ベルト５の両端部が取り付けられる清掃機器１において、使用者の姿勢変化に応じた使用者と前記本体２との相対的な位置関係の変化を制限するための制限手段６が設けられ、この制限手段６が、前記肩ベルト５に対しその長さ方向に移動可能に取り付けられることにより、前記肩ベルト５を肩に掛けて使用する状態で使用者が姿勢を変えたとしても、前記制限手段６により前記本体２の動く範囲が制限されるため、前記清掃機器１が使用者の身体から離れすぎて清掃の妨げになることがない。【選択図】図２
2017148314.tif 000002
【特許請求の範囲】
【請求項１】
本体と、この本体を携帯するために肩に掛けられる肩ベルトとを有し、前記本体が、互いに離間して設けられた第一取付部と第二取付部とを有し、これらの取付部に前記肩ベルトの両端部が取り付けられる清掃機器において、
使用者の姿勢変化に応じた人体と前記本体との相対的な位置関係の変化を制限するための制限手段が設けられ、この制限手段が、前記肩ベルトに対しその長さ方向に移動可能に取り付けられることを特徴とする清掃機器。
【請求項２】
前記第一取付部が前記本体の前位置であり、前記第二取付部が前記本体の後位置であり、前記制限手段が前記第二取付部周辺に設けられることを特徴とする請求項１記載の清掃機器。
【請求項３】
前記制限手段が、前記肩ベルトの端部を折り返して形成されたループ箇所に通されて取り付けられることを特徴とする請求項２記載の清掃機器。
【請求項４】
前記制限手段がカラビナを有することを特徴とする請求項１記載の清掃機器。
【請求項５】
前記制限手段が衣類用クリップを有することを特徴とする請求項１記載の清掃機器。
【発明の詳細な説明】
【技術分野】
【０００１】
本発明は、肩に掛けて携帯或いは使用可能な清掃機器に関するものである。
【背景技術】
【０００２】
従来、この種の清掃機器としては、本体にベルトを設け、このベルトを肩に掛けて使用できるようにした電気掃除機が知られている（例えば、特許文献１参照。）。また、空気を吹き出して落ち葉等の塵を吹き飛ばす携帯用の清掃機において、肩吊りバンドを着脱可能に設けたものも知られている（例えば、特許文献２参照。）。
【先行技術文献】
【特許文献】
【０００３】
【特許文献１】特開２００４−２１５９０４号公報
【特許文献２】特開昭５８−１１０７９号公報
【発明の概要】
【発明が解決しようとする課題】
【０００４】
しかしながら、このような清掃機器は、図７に示すように、これらの清掃機器をベルトによって肩に掛けている使用者が直立している場合は問題ないが、図８に示すように前傾姿勢になる場合、例えば自動車の車内を清掃するような場合、清掃機器本体が使用者の体から離れて揺れてしまったり、近くにあるものにぶつかってしまったりして、扱いにくいという問題があった。
【０００５】
本発明は以上の問題点を解決し、ベルトを肩に掛けて使用する場合でも扱いやすい清掃機器を提供することを目的とする。
【課題を解決するための手段】
【０００６】
本発明の請求項１に記載の清掃機器は、本体と、この本体を携帯するために肩に掛けられる肩ベルトとを有し、前記本体が、互いに離間して設けられた第一取付部と第二取付部とを有し、これらの取付部に前記肩ベルトの両端部が取り付けられる清掃機器において、使用者の姿勢変化に応じた人体と前記本体との相対的な位置関係の変化を制限するための制限手段が設けられ、この制限手段が、前記肩ベルトに対しその長さ方向に移動可能に取り付けられるものである。
【０００７】
また、本発明の請求項２に記載の清掃機器は、請求項１において、前記第一取付部が前記本体の前位置であり、前記第二取付部が前記本体の後位置であり、前記制限手段が前記第二取付部周辺に設けられるものである。
【０００８】
また、本発明の請求項３に記載の清掃機器は、請求項２において、前記制限手段が、前記肩ベルトの端部を折り返して形成されたループ箇所に通されて取り付けられるものである。
【０００９】
また、本発明の請求項４に記載の清掃機器は、請求項１において、前記制限手段がカラビナを有するものである。
【００１０】
更に、本発明の請求項５に記載の清掃機器は、請求項１において、前記制限手段が衣類用クリップを有するものである。
【発明の効果】
【００１１】
本発明の請求項１に記載の清掃機器は、以上のように構成することにより、ベルトを肩に掛けて使用する状態で使用者が姿勢を変えたとしても、制限手段により本体の動く範囲が制限されるため、清掃機器が身体から離れすぎて清掃の妨げになることなく扱いやすい清掃機器を提供することできる。
【００１２】
なお、前記第一取付部を前記本体の前位置とし、前記第二取付部を前記本体の後位置とし、前記制限手段を前記第二取付部周辺に設けると、使用者が前屈みになり清掃をする場合において、本体が制限手段によって引っ張られる状態となるので、本体の姿勢を安定させて肩から吊り下げ、清掃することができる。
【００１３】
また、前記制限手段が、前記肩ベルトの端部を折り返して形成されたループ箇所に通されて取り付けられると、前記制限手段の動く範囲が前記ループ箇所の範囲内に限定されるため、使用時に前記制限手段が前位置側に動きすぎることなく見つけやすくすることができるばかりでなく、本体の動きも制限されるので、より扱いやすくすることができる。
【００１４】
また、前記制限手段がカラビナを有することにより、簡単に使用者の衣服に取り付けたり取り外したりすることができる。
【００１５】
また、前記制限手段が衣類用クリップを有することにより、使用者がどのような衣服を着用していても、簡単に使用者の衣服に取り付けたり取り外したりすることができる。
【図面の簡単な説明】
【００１６】
【図１】本発明の第一の実施形態を示す清掃装置の外観図である。
【図２】同、要部の拡大断面図である。
【図３】同、肩に掛けて直立した状態を示す概略説明図である。
【図４】同、肩に掛けて上半身を前傾させた状態を示す概略説明図である。
【図５】本発明の第二の実施形態を示す清掃装置の要部の拡大断面図である。
【図６】本発明の第三の実施形態を示す清掃装置の要部の拡大断面図である。
【図７】従来の清掃装置を肩に掛けて直立した状態を示す概略説明図である。
【図８】従来の清掃装置を肩に掛けて上半身を前傾させた状態を示す概略説明図である。
【発明を実施するための形態】
【００１７】
以下、本発明の第一の実施形態について、図１乃至図４に基づいて説明する。なお、図１乃至図４において、左側が前、右側が後である。１は本発明の清掃機器である。このような清掃機器１としては、掃除機や送風機などのような、本体からアタッチメントが延びていて、それを使用者が操作して清掃を行うものが想定される。前記清掃機器１は、本体２と、この本体２を使用者が肩からかけるための肩ベルト５とを有して構成される。前記本体２は、前記肩ベルト５を取り付けるための第一取付部３と、第二取付部４とを有して構成される。これらの二か所の取付部３，４は、本体２を使用する際に前記肩ベルト５を肩にかけたときに、アタッチメントが延びて前位置に存在する方が前記第一取付部３、後位置に存在する方が前記第二取付部４である。前記肩ベルト５は、長さが調節可能な状態で止める長さ調節手段７，８をそれぞれの両端部に有する。そして、前記肩ベルト５の両端部を折り返した状態で、前記長さ調節手段７，８で止めたことにより、二つのループ箇所９，１０が構成される。なお、前記長さ調節手段７，８とループ箇所９，１０は、前記第一取付部３側を、長さ調節手段７、ループ箇所９とし、前記第二取付部４側を、長さ調節手段８、ループ箇所１０としている。そして、前記本体２の後位置側にある前記第二取付部４に取り付けられた前記ループ箇所１０に、制限手段６が前記肩ベルト５の長さ方向に移動可能に取り付けられる。なお、本実施形態では、前記制限手段６として、カラビナ６１が用いられる。ここでいうカラビナ６とは、登山用具である本来のカラビナだけでなく、キーリングやアクセサリーのように幅広く使用されている、カラビナ風の金具すべてを含む。また、カラビナ６以外にも、開閉自在な部分を有するリングであれば、同様の効果がある。
【００１８】
前記第二取付部４は、本体の一部分が凹み、上方及び後方が開放した凹部４１と、この凹部４１における左右両側壁間に渡され、前記凹部４１の凹面と平行になるように設置されたピン４２とを有して構成される。前記長さ調節手段８は、一対の縦棒８Ａの間に三本の棒状体が平行に形成され、これらの棒状体間に二つの通し穴を有する、いわゆる一本コキと呼ばれるアジャスターを使用している。このような長さ調節手段８は公知のものであるが、念のため説明する。図２において、前記肩ベルト５は、前記長さ調節手段８の上棒状体８Ｂと中央棒状体８Ｃの間の上穴８Ｅを前側から後側に通された後、中央棒状体８Ｃと下棒状体８Ｄの間の下穴８Ｆを後側から前側に通される。その後、前記肩ベルト５は、前記凹部４１とピン４２の隙間を通される。更に、前記肩ベルト５は、前記長さ調節手段８の下穴８Ｆを前側から後側に通された後、上穴８Ｅを後側から前側に通される。このようにして、前記肩ベルト５の端部を保持することにより、前記長さ調節手段８に対し前記肩ベルト５の折り返し部分を動かすことで、前記第二取付部４から前記肩ベルト５を全て取り外すことなく、この肩ベルト５の使用できる長さを調節することが可能となる。なお、第一の実施形態では、長さ調節手段８として上記の一本コキと呼ばれるアジャスターを利用したが、これとは違う長さ調節の手段を使用しても良い。
【００１９】
このように形成された前記ループ箇所１０に、前記制限手段６を取り付ける。この制限手段６は、前記ループ箇所１０の内部を通るように取り付けられる。このため、前記制限手段６は、前記ループ箇所１０の範囲内でしか、前記肩ベルト５の長さ方向に動けない。従って、前記肩ベルト５を肩から外して前記清掃機器１を下ろした時に、前記制限手段６が動き回って反対側の前記第一取付部３へ動くのを防ぐことができる。
【００２０】
前記カラビナ６１の構造は公知であるが、念のため説明する。このカラビナ６１は、全体として長円形に形成されており、環本体６２と開閉杆６３を有して構成される。前記環本体６２は、金属材によって、長円形の直線部分を切り欠いた略Ｃ字状に形成される。また、前記開閉杆６３は、金属材によって、前記環本体６２の長円の直線部分を補完するように、直線状に形成される。なお、前記開閉杆６３の長さは、前記環本体６２の端部間の距離よりも長く形成される。そして、前記開閉杆６３の一端は、前記環本体６２の一端に開閉ピン６４によって揺動可能に取り付けられる。一方、前記開閉杆６３の他端は自由端となっている。そして、前記開閉杆６３の他端に形成された凹部６３Ａが、前記環本体６２の他端に形成されたキャッチ６５に、前記環本体６２の内側から当接可能となっている。また、前記開閉ピン６４の周辺には、バネ（図示せず）が取り付けられる。そして、このバネによって、前記開閉杆６３は、前記環本体６２の開口を閉じるように、即ち、前記凹部６３Ａがキャッチ６５に当接する方向に付勢される。このため、前記開閉杆６３の自由端を前記バネの付勢力に抗して前記環本体６２の内側へ押すと、前記開閉杆６３の自由端とキャッチ６５の間が開く。そして、前記開閉杆６３の自由端を押す力が除かれると、前記バネの付勢力によって、前記開閉杆６３の自由端の凹部６３Ａが前記キャッチ６５に当接して閉じる。上記のような構造のカラビナ６１は、使用者のベルト通しＬやベルトに片手で簡単に取り付けることができるため、衣服に装着しやすく且つ衣服を傷つけないという利点がある。
【００２１】
次に、本実施形態の作用について、図３，４及び従来例である図７，８に基づいて説明する。なお、どの図も左側が使用者の前方、右側が後方である。まず使用者は、前記肩ベルト５を肩に掛けた後、前記制限手段６であるカラビナ６１を使用者の衣服のベルト通しＬに掛ける。この際、前記本体２は、その第一取付部３側が前に、第二取付部４側が後になるような姿勢で、肩に掛けられる。このような状態で、前記清掃機器１の本体２は、図３に示されるように、使用者の肩から吊り下がる。なお、図３は使用者が左肩に前記肩ベルト５を掛けて、前記制限手段６を左腰のベルト通しＬに掛けている状態を指し示している。一方、制限手段６であるカラビナ６１が設けられていない従来の構造の場合、図７のようになる。そして使用者は、このようにして前記清掃機器１を携帯した状態で、図示しない前記アタッチメントを把持し、前記本体２を作動させることで、清掃を行うことができる。
【００２２】
なお、使用者は、直立した姿勢でのみ清掃を行う訳ではない。例えば、自動車内等の天井が低い場所では、前屈み、即ち上体を前傾させた姿勢で清掃を行うことになる。そして、使用者が上体を前傾させると、本実施形態の構造でも従来の構造でも、図４及び図８に示されるように、前記本体２は重力によって使用者から離れるように、使用者の前側へ相対的に移動する。しかしながら、前述した通り、本実施形態は、前記肩ベルト５の後側である前記ループ箇所１０に、制限手段６である前記カラビナ６１が取り付けられており、このカラビナ６１が使用者の衣服のベルト通しＬに掛けられている。このため、使用者が上体を前傾させたとしても、前記本体２が使用者から離れるように前側へ相対的に移動するものの、前記制限手段６に引っ張られることで、その動く範囲が制限される。即ち、前記本体２は、使用者が上体を前傾させたとしても、使用者の左腰から離れすぎないので、大きく揺れてしまったり近くにあるものにぶつかってしまったりして、或いは清掃したい範囲に重なって視界をふさいだりして、清掃作業の邪魔になってしまうという問題を抑制することができる。そして、使用者が前屈みになり清掃をする場合、前記本体２が前記肩ベルト５と制限手段６によって後方から引っ張られる状態となるので、前記本体２の姿勢を安定させて肩から吊り下げ、清掃することができる。また、前記制限手段６であるカラビナ６１が、前記肩ベルト５の端部を折り返して形成されたループ箇所１０に通されて取り付けられることで、前記制限手段６の動く範囲が前記ループ箇所１０の範囲内に限定されるため、前記本体２の使用者に対する相対的な動きが制限されて、より扱いやすくすることができる。
【００２３】
なお、前記ループ箇所１０の範囲内で前記制限手段６が前記肩ベルト５の長さ方向に移動可能なことによる利点は他にもある。例えば、前記制限手段６が前記肩ベルト５に対し移動不能に固定された場合、使用者が上体を前傾させると、前記本体２の重量が前記制限手段６にのみ掛かる場合が起こり得る。これは、使用者が上体を前傾させた際に、前記制限手段６が前記肩ベルト５の長さ方向に移動しないと、この肩ベルト５の前側部分が緩むことにより起こり得る。そして、前記肩ベルト５が緩むと、この肩ベルト５が肩から外れて、清掃の邪魔になってしまう虞がある。しかしながら、前述したように、前記制限手段６が前記肩ベルト５の長さ方向に移動可能であれば、この肩ベルト５の後側部分が下降することで、相対的に前記肩ベルト５の前側部分が上昇して、前記肩ベルト５の緩みが解消する。これによって、前記本体２の重量は、前記肩ベルト５と制限手段６によって支えられる。
【００２４】
以上のように本発明は、本体２と、この本体２を携帯するために肩に掛けられる肩ベルト５とを有し、前記本体２が、互いに離間して設けられた第一取付部３と第二取付部４とを有し、これらの取付部３，４に前記肩ベルト５の両端部が取り付けられる清掃機器１において、使用者の姿勢変化に応じた使用者と前記本体２との相対的な位置関係の変化を制限するための制限手段６が設けられ、この制限手段６が、前記肩ベルト５に対しその長さ方向に移動可能に取り付けられることにより、前記肩ベルト５を肩に掛けて使用する状態で使用者が姿勢を変えたとしても、前記制限手段６により前記本体２の動く範囲が制限されるため、前記清掃機器１が使用者の身体から離れすぎて清掃の妨げになることなく扱いやすい前記清掃機器１を提供することできる。
【００２５】
また、本発明は、前記第一取付部３を前記本体２の前位置とし、前記第二取付部４を前記本体２の後位置とし、前記制限手段６を前記第二取付部４周辺に設けることで、使用者が前屈みになり清掃をする場合において、前記本体２が前記制限手段６によって後方に引っ張られる状態となるので、前記本体２の姿勢を安定させて肩から吊り下げ、清掃することができる。
【００２６】
また、本発明は、前記制限手段６が、前記肩ベルト５の端部を折り返して形成されたループ箇所１０に通されて取り付けられることで、前記制限手段６の動く範囲が前記ループ箇所１０の範囲内に限定されるため、使用時に前記制限手段６が前位置側に動きすぎることなく見つけやすくすることができるばかりでなく、前記本体２と使用者の身体との相対的な動きも制限されるので、より扱いやすくすることができる。
【００２７】
更に、本発明は、制限手段としてカラビナ６１を用いたことにより、簡単に使用者の衣服に取り付けたり取り外したりすることができる。
【００２８】
次に、本発明の第二の実施形態について、図５に基づいて説明する。なお、第一の実施形態と共通する部分には同一の符号を付し、その説明を省略する。第二の実施形態では、ループ箇所１０に制限手段６Ａが取り付けられる。この制限手段６Ａは、接続具６６と、この接続具６６に取り付けられるカラビナ６１とで構成される。前記接続具６６は、ピン４２で折り返された肩ベルト部５が通されることで、前記ループ箇所１０の範囲内で前記肩ベルト５の長さ方向に移動可能に取り付けられる。そして、前記肩ベルト５に通された前記接続具６６に、前記カラビナ６１を更に通す。これにより、前記ループ箇所１０の範囲内で前記肩ベルト５の長さ方向に自在に動く状態で、前記制限手段６Ａが取り付けられる。前記接続具６６の材質は、前記カラビナ６１と前記肩ベルト５を繋ぐことができるものであれば、布やプラスチック、金属など、特に材質を問わない。なお、本実施形態における作用及び効果は、第一の実施形態において説明した通りであるので、その説明を省略する。
【００２９】
次に、本発明の第三の実施形態について、図６に基づいて説明する。なお、第一及び第二の実施形態と共通する部分には同一の符号を付し、その説明を省略する。第三の実施形態は、制限手段６Ｂが衣類用クリップ６９を有することを特徴とするものである。前記制限手段６Ｂは、前記ループ箇所１０に取り付けられる接続リング６７と、この接続リング６７に取り付けられる紐６８と、この紐６８に取り付けられる前記衣類用クリップ６９とを有して構成される。前記接続リング６７は、ピン４２で折り返された肩ベルト部５が通されることで、前記ループ箇所１０の範囲内で前記肩ベルト５の長さ方向に移動可能に取り付けられる。これにより、前記ループ箇所１０の範囲内で前記肩ベルト５の長さ方向に自在に動く状態で、前記制限手段６Ｂが取り付けられる。なお、前記肩ベルト５に通された前記接続リング６７は、環状であれば良い。即ち、前記接続リング６７は、円環状の他に、例えば長円環状、三角環状等であっても良い。また、前記肩ベルト５が通された前記接続リング６７に前記紐６８の一端を接続し、この紐６８の他端に前記クリップ６９を接続しても良いが、前記紐６８及び衣類用クリップ６９は、前記接続リング６７に前記肩ベルト５を通す前に、予め前記接続リング６７に接続しておくことが望ましい。このように、前記制限手段６Ｂとして、前記衣類用クリップ６９を用いることにより、ベルト通しＬのようなループ状の部分がない服装のときでも、衣服に取り付けることができる。なお、本実施形態におけるその他の作用及び効果は、第一の実施形態において説明した通りであるので、その説明を省略する。
【００３０】
なお、本発明は以上の実施形態に限定されるものではなく、発明の要旨の範囲内で種々の変形実施が可能である。例えば、上記実施形態では、制限手段としてカラビナやクリップを挙げたが、他にもナスカンなど簡単に衣服に取り付けられるさまざまな部品が想定される。
【符号の説明】
【００３１】
１  清掃機器
２  本体
３  第一取付部
４  第二取付部
５  肩ベルト
６，６Ａ，６Ｂ  制限手段
９  ループ箇所（第一取付部側）
１０  ループ箇所（第二取付部側）
６１  カラビナ
６９  衣類用クリップ
【図１】
2017148314.tif 000003
【図２】
2017148314.tif 000004
【図３】
2017148314.tif 000005
【図４】
2017148314.tif 000006
【図５】
2017148314.tif 000007
【図６】
2017148314.tif 000008
【図７】
2017148314.tif 000009
【図８】
2017148314.tif 000010